(57)【要約】【課題】    本考案は、靴づれ防止を図ったサンダルを提供する。【解決手段】    サンダルＳは、足を乗せる中底１ｂを備えたサンダル本体１と、このサンダル本体１にバンド２を有するサンダルＳであって、中底１ｂと一体的に形成されると共に、足の踵の周囲を覆い、足の動きを規制する立設部１ｃと、この立設部１ｃは、足の外側に位置する外側立設部Ｘと、前記足の内側に位置する内側立設部Ｙと、この内側立設部Ｙと外側立設部Ｘとを接続する中間立設部Ｚとを備え、中間立設部Ｚの頂部は、外側立設部Ｘ及び内側立設部Ｙの頂部より低く形成されているものである。【選択図】図１
0003122770.tif 000002
【実用新案登録請求の範囲】
【請求項１】
足を乗せる中底を備えたサンダル本体と、このサンダル本体にバンドを有するサンダルであって、
前記中底と一体的に形成されると共に、足の踵の周囲を覆い、足の動きを規制する立設部と、
この立設部は、足の外側に位置する外側立設部と、前記足の内側に位置する内側立設部と、この内側立設部と前記外側立設部とを接続する中間立設部とを備え、
前記中間立設部の頂部は、前記外側立設部及び前記内側立設部の頂部より低く形成されているをことを特徴とするサンダル。
【請求項２】
足を乗せる中底を備えたサンダル本体と、一端を前記サンダル本体に取り付け、他端を前記サンダル本体に着脱自在に取り付け可能に構成したバンドを有するサンダルであって、
前記中底と一体的に形成されると共に、足の踵の周囲を覆い、足の動きを規制する立設部と、
この立設部は、足の外側に位置する外側立設部と、前記足の内側に位置する内側立設部と、この内側立設部と前記外側立設部とを接続する中間立設部とを備え、
前記中間立設部の頂部は、前記外側立設部及び前記内側立設部の頂部より低く形成され、
前記バンドは、前記サンダル本体の長手方向を横断するように設けられ、
前記サンダル本体の側面に取り付けられた第１の面状ファスナーと、
この第１の面状ファスナーに係止すると共に、前記バンドの他端の裏面に取り付けられた第２の面状ファスナーと、
を備えていることを特徴とするサンダル。
【請求項３】
足を乗せる中底を備えたスリッパ本体と、このスリッパ本体にバンドを有するスリッパであって、
前記中底と一体的に形成されると共に、足の踵の周囲を覆い、足の動きを規制する立設部と、
この立設部は、足の外側に位置する外側立設部と、前記足の内側に位置する内側立設部と、この内側立設部と前記外側立設部とを接続する中間立設部とを備え、
前記中間立設部の頂部は、前記外側立設部及び前記内側立設部の頂部より低く形成されているをことを特徴とするスリッパ。
【請求項４】
足を乗せる中底を備えたスリッパ本体と、一端を前記スリッパ本体に取り付け、他端を前記スリッパ本体に着脱自在に取り付け可能に構成したバンドを有するスリッパであって、
前記中底と一体的に形成されると共に、足の踵の周囲を覆い、足の動きを規制する立設部と、
この立設部は、足の外側に位置する外側立設部と、前記足の内側に位置する内側立設部と、この内側立設部と前記外側立設部とを接続する中間立設部とを備え、
前記中間立設部の頂部は、前記外側立設部及び前記内側立設部の頂部より低く形成され、
前記バンドは、前記スリッパ本体の長手方向を横断するように設けられ、
前記スリッパ本体の側面に取り付けられた第１の面状ファスナーと、
この第１の面状ファスナーに係止すると共に、前記バンドの他端の裏面に取り付けられた第２の面状ファスナーと、
を備えていることを特徴とするスリッパ。
【考案の詳細な説明】
【技術分野】
【０００１】
本考案は、サンダル及びスリッパに係り、特に、靴づれ防止を図ったサンダル及びスリッパに関する。  
【背景技術】
【０００２】
従来、足の踵の周囲を覆う踵ホルダーを備えたサンダル形履物がある（例えば、特許文献１参照）。
【特許文献１】特公平６−７７５２１号公報（図１及び図２参照）
【０００３】
しかしながら、上述の足の踵の周囲を覆う踵ホルダーは、足の外側に位置する外側立設部と、足の内側に位置する内側立設部と、この内側立設部と前記外側立設部とを接続する中間立設部とを備え、前記外側立設部、前記内側立設部及び前記中間立設部は、共に、略同じ高さで足の踵の周囲を覆っているため、特に、歩行中、足が中底から離れ易く、その分、中間立設部と踵が接触し、靴づれを生じるという問題点が生じた。
【考案の開示】
【考案が解決しようとする課題】
【０００４】
本考案は、上記の問題点を除去するようにしたサンダル及びスリッパを提供することを目的とする。
【課題を解決するための手段】
【０００５】
前記した目的を達成するための請求項１記載のサンダルは、足を乗せる中底を備えたサンダル本体と、このサンダル本体にバンドを有するサンダルであって、前記中底と一体的に形成されると共に、足の踵の周囲を覆い、足の動きを規制する立設部と、この立設部は、足の外側に位置する外側立設部と、前記足の内側に位置する内側立設部と、この内側立設部と前記外側立設部とを接続する中間立設部とを備え、前記中間立設部の頂部は、前記外側立設部及び前記内側立設部の頂部より低く形成されているものである。
【０００６】
また、請求項２記載のサンダルは、足を乗せる中底を備えたサンダル本体と、一端を前記サンダル本体に取り付け、他端を前記サンダル本体に着脱自在に取り付け可能に構成したバンドを有するサンダルであって、前記中底と一体的に形成されると共に、足の踵の周囲を覆い、足の動きを規制する立設部と、この立設部は、足の外側に位置する外側立設部と、前記足の内側に位置する内側立設部と、この内側立設部と前記外側立設部とを接続する中間立設部とを備え、前記中間立設部の頂部は、前記外側立設部及び前記内側立設部の頂部より低く形成され、前記バンドは、前記サンダル本体の長手方向を横断するように設けられ、前記サンダル本体の側面に取り付けられた第１の面状ファスナーと、この第１の面状ファスナーに係止すると共に、前記バンドの他端の裏面に取り付けられた第２の面状ファスナーとを備えているものである。
【０００７】
また、請求項３記載のスリッパは、足を乗せる中底を備えたスリッパ本体と、このスリッパ本体にバンドを有するスリッパであって、前記中底と一体的に形成されると共に、足の踵の周囲を覆い、足の動きを規制する立設部と、この立設部は、足の外側に位置する外側立設部と、前記足の内側に位置する内側立設部と、この内側立設部と前記外側立設部とを接続する中間立設部とを備え、前記中間立設部の頂部は、前記外側立設部及び前記内側立設部の頂部より低く形成されているものである。
【０００８】
また、請求項４記載のスリッパは、足を乗せる中底を備えたスリッパ本体と、一端を前記スリッパ本体に取り付け、他端を前記スリッパ本体に着脱自在に取り付け可能に構成したバンドを有するスリッパであって、前記中底と一体的に形成されると共に、足の踵の周囲を覆い、足の動きを規制する立設部と、この立設部は、足の外側に位置する外側立設部と、前記足の内側に位置する内側立設部と、この内側立設部と前記外側立設部とを接続する中間立設部とを備え、前記中間立設部の頂部は、前記外側立設部及び前記内側立設部の頂部より低く形成され、前記バンドは、前記スリッパ本体の長手方向を横断するように設けられ、前記スリッパ本体の側面に取り付けられた第１の面状ファスナーと、この第１の面状ファスナーに係止すると共に、前記バンドの他端の裏面に取り付けられた第２の面状ファスナーとを備えているものである。
【考案の効果】
【０００９】
請求項１記載のサンダルによれば、立設部は中底と一体的に形成されると共に、足の踵の周囲を覆うため、歩行中、足の踵が立設部により規制され、歩き易く、特に、近時、踵から足首に向けて曲がる現象の足に対して、人間本来の足の形を壊さないように、前記現象の予防を図ることができ、しかも、立設部の中間立設部の頂部は、立設部の外側立設部及び立設部の内側立設部の頂部より低く形成されているため、踵が接触する部位が少なくして靴づれをも防ぐことができる。
【００１０】
また、請求項２記載のサンダルによれば、立設部は中底と一体的に形成されると共に、足の踵の周囲を覆うため、歩行中、足の踵が立設部により規制され、歩き易く、特に、近時、踵から足首に向けて曲がる現象の足に対して、人間本来の足の形を壊さないように、前記現象の予防を図ることができ、しかも、立設部の中間立設部の頂部は、立設部の外側立設部及び立設部の内側立設部の頂部より低く形成されているため、踵が接触する部位が少なくして靴づれをも防ぐことができ、更に、中底と一体的に形成されると共に、足の踵の周囲を覆う立設部を設けた分、履きにくくなるが、バンドの他端をサンダル本体に着脱自在に取り付けたため、履きにくさの改善を図ることができる。
【００１１】
また、請求項３記載のスリッパによれば、立設部は中底と一体的に形成されると共に、足の踵の周囲を覆うため、歩行中、足の踵が立設部により規制され、歩き易く、特に、近時、踵から足首に向けて曲がる現象の足に対して、人間本来の足の形を壊さないように、前記現象の予防を図ることができ、しかも、立設部の中間立設部の頂部は、立設部の外側立設部及び立設部の内側立設部の頂部より低く形成されているため、踵が接触する部位が少なくして靴づれをも防ぐことができる。
【００１２】
また、請求項４記載のスリッパによれば、立設部は中底と一体的に形成されると共に、足の踵の周囲を覆うため、歩行中、足の踵が立設部により規制され、歩き易く、特に、近時、踵から足首に向けて曲がる現象の足に対して、人間本来の足の形を壊さないように、前記現象の予防を図ることができ、しかも、立設部の中間立設部の頂部は、立設部の外側立設部及び立設部の内側立設部の頂部より低く形成されているため、踵が接触する部位が少なくして靴づれをも防ぐことができ、更に、中底と一体的に形成されると共に、足の踵の周囲を覆う立設部を設けた分、履きにくくなるが、バンドの他端をスリッパ本体に着脱自在に取り付けたため、履きにくさの改善を図ることができる。
【考案を実施するための最良の形態】
【００１３】
本考案の一実施例のサンダルを図面を参照して説明する。
図１〜図３において、Ｓは、足を乗せる中底１ｂを備えたサンダル本体１と、このサンダル本体１にバンド２を有するサンダルである。
サンダル本体１は、地面に接地する本底１ａと、この本底１ａに接着剤を介して取り付けられ、直接足を乗せる中底１ｂとを有する。
中底１ｂは、足の踵の周囲を覆い、足の動きを規制する立設部１ｃを有し、この立設部１ｃは、中底１ｂと一体的に形成される。中底１ｂは、例えば、ウレタン樹脂、塩化ビニール、木等で成形される。
【００１４】
この立設部１ｃは、足の外側に位置する外側立設部Ｘと、前記足の内側に位置する内側立設部Ｙと、この内側立設部Ｙと外側立設部Ｘとを接続する中間立設部Ｚとを備え、中間立設部Ｚの頂部（中間立設部Ｚの頂部の高さは、例えば、中底１ｂから約２０ｍｍ）は、図１及び図３に示すように、外側立設部Ｘ及び内側立設部Ｙの頂部（外側立設部Ｘ及び内側立設部Ｙの頂部の高さは、例えば、中底１ｂから約４０ｍｍ）より低く形成されている。
【００１５】
従って、上述したサンダルＳによれば、立設部１ｃは中底１ｂと一体的に形成されると共に、足の踵の周囲を覆うため、歩行中、足の踵が立設部１ｃにより規制され、歩き易く、特に、近時、踵から足首に向けて曲がる現象の足に対して、人間本来の足の形を壊さないように、前記現象の予防を図ることができ、しかも、立設部１ｃの中間立設部Ｚの頂部は、立設部１ｃの外側立設部Ｘ及び立設部１ｃの内側立設部Ｙの頂部より低く形成されているため、踵が接触する部位が少なくして靴づれをも防ぐことができる。
【００１６】
また、バンド２の一端は、サンダル本体１に取り付けられ（取り付けは、例えば、縫製、接着剤等である。）、バンド２の他端は、サンダル本体１に着脱自在に取り付け可能に構成されている。
具体的に言えば、バンド２は、図３に示すように、サンダル本体１の長手方向を横断するように設けられ、サンダル本体１の側面に取り付けられた第１の面状ファスナー３と、第１の面状ファスナー３に係止（付着）すると共に、バンド２の他端の裏面に取り付けられた第２の面状ファスナー４とにより構成されている。
なお、本実施例のサンダルＳは、中底１ｂと一体的に形成されると共に、足の踵の周囲を覆う立設部１ｃを設けた分、履きにくくなるが、バンド２の他端をサンダル本体１に着脱自在に取り付けたため、図３に示すように、バンド２の他端をサンダル本体から外し、足を中底２に乗せて、バンド２の他端の第２の面状ファスナー４をサンダル本体１の第１の面状ファスナー３に係止（付着）することにより、履きにくさの改善を図ることができる。
【００１７】
なお、上述した実施例においては、サンダルＳについて説明したが、本考案にあっては、これに限らず、図４に示すスリッパＳ’にも同様に適用することができ、図４に示すスリッパＳ’においても、上述した実施例のサンダルＳと同様な効果を得ることができる。
また、図４において、図１〜図３に示す部分と同一部分に同一符号を付してその説明を一部省略する。図４に示すバンド２’は、図１〜図３と異なり、つま先を覆う形状となっているが、図１〜図３記載のバンド２と同様に、つま先を開放する形態でも良い。
また、図４に示すバンド２’は、一端をスリッパ本体１’に取り付け、他端をスリッパ本体１’に着脱自在に取り付け可能に構成し、該着脱自在は、スリッパ本体１’の側面に取り付けられた第１の面状ファスナー（図示しないが、図３記載の第１の面状ファスナー３と同様）と、この第１の面状ファスナー（図示せず）に係止（付着）すると共に、バンド２’の他端の裏面に取り付けられた第２の面状ファスナー（図示しないが、図３記載の第２の面状ファスナー４と同様）とにより行うことができる。
【図面の簡単な説明】
【００１８】
【図１】図１は、本考案の一実施例のサンダルの概略的斜視図である。
【図２】図２は、図１の２−２線による概略的断面図である。
【図３】図３は、図１のサンダルのバンドの他端をサンダル本体に取り付ける前の状態の概略的斜視図である。
【図４】図４は、本考案の一実施例のスリッパの概略的斜視図である。
【符号の説明】
【００１９】
Ｓ    …………サンダル
１    …………サンダル本体
１ｂ  …………中底
１ｃ  …………立設部
Ｘ    …………外側立設部
Ｙ    …………内側立設部
Ｚ    …………中間立設部
２    …………バンド
【図１】
0003122770.tif 000003
【図２】
0003122770.tif 000004
【図３】
0003122770.tif 000005
【図４】
0003122770.tif 000006